(57)【要約】【課題】本発明は、原稿を搬送しながら画像を読みとる流し読みが可能な画像読取装置において、スジ画像の発生を防止可能な画像読取装置を提供することを目的としている。【解決手段】上記課題を解決するために、本発明に係る画像読取装置の代表的な構成は、シートを読取位置へ搬送する搬送手段と、読取位置において搬送されるシートをガイドするプラテンガラスと、読取位置を搬送されるシート上の画像を前記プラテンガラスを介して読み取る読取手段と、前記プラテンガラスの前記読取手段と反対側に設けられ、該プラテンガラスとの間に微少な隙間を形成するシートガイド部材と、前記読取手段を移動させる駆動手段とを有する画像読取装置において、前記駆動手段は、前記読取手段を、読取位置へと搬送されたシートがプラテンガラスと接触している位置で読取動作を行う基本読取位置と、読取位置へと搬送されたシートがプラテンガラスと接触していない位置で読取動作を行う少なくとも１つの退避読取位置と、に移動可能であることを特徴とする。【選択図】    図６
2004260294.tif 000002
【特許請求の範囲】
【請求項１】
シートを読取位置へ搬送する搬送手段と、
読取位置において搬送されるシートをガイドするプラテンガラスと、
読取位置を搬送されるシート上の画像を前記プラテンガラスを介して読み取る読取手段と、
前記プラテンガラスの前記読取手段と反対側に設けられ、該プラテンガラスとの間に微少な隙間を形成するシートガイド部材と、
前記読取手段を移動させる駆動手段とを有する画像読取装置において、
前記駆動手段は、前記読取手段を、
読取位置へと搬送されたシートがプラテンガラスと接触している位置で読取動作を行う基本読取位置と、
読取位置へと搬送されたシートがプラテンガラスと接触していない位置で読取動作を行う少なくとも１つの退避読取位置と、に移動可能であることを特徴とする画像読取装置。
【請求項２】
シートを読取位置へ搬送する搬送手段と、
読取位置において搬送されるシートをガイドするプラテンガラスと、
読取位置を搬送されるシート上の画像を前記プラテンガラスを介して読み取る読取手段と、
前記プラテンガラスの前記読取手段と反対側に設けられ、該プラテンガラスとの間に微少な隙間を形成するプラテンローラと、
前記プラテンガラスの近傍に設けられ、該プラテンガラスと微少な隙間を形成してシートをプラテンガラス側へと規制する少なくとも１つのシート規制コロと、
前記シート規制コロとプラテンローラとの間に、前記プラテンガラスに対向して配置した少なくとも一つの白色ガイド部材と、
前記読取手段を移動させる駆動手段とを有する画像読取装置において、
前記駆動手段は、前記読取手段を、
前記プラテンローラ近傍で読取動作を行う基本読取位置と、
前記白色ガイド部材の近傍で読取位置を行う少なくとも一つの退避読取位置と、に移動可能であることを特徴とする画像読取装置。
【発明の詳細な説明】
【０００１】
【発明の属する技術分野】
本発明は、スキャナー、複写機、プリンター、ファクシミリ装置などの画像読取装置に関し、特に搬送されるシート上の画像を読取可能な画像形成装置に関するものである。
【０００２】
【従来の技術】
従来から、デジタル複写機、プリンター、ファクシミリ等に設けられた画像読取装置には、シートである原稿を画像読取装置に自動給送するため、シート自動搬送装置の一例である自動原稿給送装置（ＡＤＦ：Ａｕｔｏ  Ｄｏｃｕｍｅｎｔ  Ｆｅｅｄｅｒ）を開閉自在に備えたものがある。
【０００３】
この自動原稿給送装置を備えた画像読取装置の読み取り方法の１つに、自動原稿給送装置により給送された原稿に対して、自動原稿給送装置の下方に設けられた読み取り装置をモータにより設定位置に移動して停止させた後、所定速度で搬送される原稿に対しランプユニットから光を出射して走査を行い、その反射光を読み取り装置により検出することで画像を読み取る読み取り方法がある（以下、流し読みという）。
【０００４】
従来の、このような流し読みを用いた画像読取装置の読取位置近傍の構成を図１０、図１１に示す。図１０の構成では、読取位置αの上流側と下流側に搬送ローラ対４０２、４０３を配し、読取位置αの略上方にプラテンガラス４０４と所定の隙間を形成するガイド部材４０５を設けている。そして、読取手段４０１を読取位置αに移動して、原稿Ｐを隙間で規制しながら読取位置α上を一定の速度で搬送することで、原稿搬送時の速度変動を抑えて画像の読み取りを行っている。このとき、読取位置αは原稿Ｐとプラテンガラス４０４とが接触する位置よりも上流に設けられ、原稿Ｐはプラテンガラス４０４から少し浮いた状態で読み取られる。
【０００５】
また、図１１に示すように、ガイド部材４０５の代わりに、図示しない駆動手段により回転可能なプラテンローラ４０６を設け、ガイド部材４０５より微小な隙間で原稿をプラテンガラス４０４側に押し付けて搬送を行う構成もある。このプラテンローラ４０６は、コンタクトイメージセンサ（ＣＩＳ）などの読み取り深度が浅い読み取り装置に対し、原稿Ｐの浮きを防止する構成として用いられる。このときの読取位置βは、プラテンローラ４０６近傍の原稿Ｐとプラテンガラス４０４が接触している位置に設けられている。
【０００６】
なお流し読みを行う画像読取装置の、特に読取位置に関する先行技術としては、特開平９−９３３９２（特許文献１）がある。特許文献１においては、デジタルタイプの原稿移動、光学系固定両方式の画像読取装置において、ＣＣＤによる原稿読取位置を、バックアップローラと原稿台により形成される最狭部以外の部分とする構成が記載されている。これにより、原稿上のゴミが付着・滞留しやすい部分を避けた位置で原稿読み取りを行うため、ゴミによる黒筋発生を低減し、良好な画像読み取りが実現するとしている。
【０００７】
【特許文献１】
特開平９−９３３９２
【０００８】
【発明が解決しようとする課題】
【０００９】
上述の如く、図１０に示す如く原稿がプラテンガラス４０４に接触しない読取位置αであっても、図１１に示す如く接触する位置βであっても、画像読取は可能である。
【００１０】
しかし図１０の読取位置αにおいては、原稿Ｐがプラテンガラス４０４に接触していない位置で読み取りを行っているために、原稿搬送で発生したトナー粉、紙粉、ゴムカス等のゴミ（浮遊ゴミ）が飛散してプラテンガラス４０４上に滞留してしまう。流し読みにおいては読取手段４０１が移動しないために、この滞留した浮遊ゴミが、スジ画像として読み取られてしまうことがある。
【００１１】
一方、図１１の読取位置βにおいては、読取手段４０１からの距離が一定であるためピントがあわせやすく、また搬送の衝撃による影響を受けにくいため、高画質による読み取りを行うことができ、有利である。しかし原稿Ｐが接触するために原稿Ｐ上に付着しているインクや修正液、糊等のゴミ（付着ゴミ）がプラテンガラス４０４と摺擦して付着しやすく、読取位置上に付着ゴミが付着した場合にスジ画像として読み取られてしまうことがある。
【００１２】
このように、従来の画像読取装置の構成では、浮遊ゴミあるいは付着ゴミのいずれかによるスジ画像の発生を防止することが困難であった。
【００１３】
そこで本発明は、原稿を搬送しながら画像を読みとる流し読みが可能な画像読取装置において、スジ画像の発生を防止可能な画像読取装置を提供することを目的としている。
【００１４】
【課題を解決するための手段】
上記課題を解決するために、本発明に係る画像読取装置の代表的な構成は、シートを読取位置へ搬送する搬送手段と、読取位置において搬送されるシートをガイドするプラテンガラスと、読取位置を搬送されるシート上の画像を前記プラテンガラスを介して読み取る読取手段と、前記プラテンガラスの前記読取手段と反対側に設けられ、該プラテンガラスとの間に微少な隙間を形成するシートガイド部材と、前記読取手段を移動させる駆動手段とを有する画像読取装置において、前記駆動手段は、前記読取手段を、読取位置へと搬送されたシートがプラテンガラスと接触している位置で読取動作を行う基本読取位置と、読取位置へと搬送されたシートがプラテンガラスと接触していない位置で読取動作を行う少なくとも１つの退避読取位置と、に移動可能であることを特徴とする。
【００１５】
【発明の実施の形態】
［第一実施形態］
本発明の第一実施形態に係る画像読取装置について、この画像読取装置を備えた画像形成装置である複写機を用いて説明する。図１は画像読取装置の全体構成図、図２は画像形成装置の全体構成図、図３は画像読取装置の構成を説明するブロック図、図４は画像読取装置の駆動系を説明する図、図５は画像読取装置の制御ブロック図、図６及び図７は読取部の説明をする部分拡大図である。
【００１６】
図２に示すように、本実施形態に係る画像形成装置は、読取部１５０、自動搬送装置としての自動原稿給送装置２、記録部３００から構成される。読取部１５０および自動原稿給送装置２によって本実施形態の画像読取装置が構成され、またこれらを含んで記録部３００を加えることにより画像形成装置が構成される。以下それぞれについて説明する。
【００１７】
図１に示すように、読取部１５０は、原稿面に対して光を照射するランプ１５２、ランプ１５２にて照射された光に対向する原稿Ｐからの反射光をレンズ１５７およびＣＣＤ１５８に導くミラー１５３、１５５、１５６を有している。ランプ１５２とミラー１５３は、第一光学台１５９に取り付けられ、ミラー１５５、１５６は、第二光学台１５１に取り付けられている。また、光学台１５９、１５１は、図示しないワイヤ１５４によって、読取手段を移動させる駆動手段としてのモータ３１４（図４参照）と結合され、モータ３１４の回転駆動により原稿台ガラス３と平行に移動制御される。原稿からの反射光は、ミラー１５３、１５５、１５６を介してレンズ１５７に導かれ、レンズ１５７によってＣＣＤ１５８上に集光される。ＣＣＤ１５８は、原稿情報を反映した上記反射光を光電変換し、電子的な画像信号として出力する。
【００１８】
上記構成により、第一光学台１５９を基本読取位置１６０に停止させた状態で、自動原稿給送装置２により原稿を搬送させながら原稿情報を読み取る流し読みモードと、原稿を原稿台ガラス３上に固定的に載置して光学台１５９、１５１を副走査方向に移動させながら原稿情報を読み取る原稿台ガラス読み取りモードと、の２つのモードで原稿情報を読み取ることができる。
【００１９】
図３は、リーダの制御系の概略構成を示すブロック図である。
【００２０】
原稿面に光を照射するランプ１５２、光学台１５９、１５１を副走査方法に移動し原稿を走査するモータ３１４、原稿面からの反射光を光電変換するＣＣＤ１５８、ＣＣＤ１５８の出力信号をＡ／Ｄ変換するＡ／Ｄ変換回路３０１、モータ３１４に接続されたエンコーダ３０２、原稿に光を照射するためのランプ１５２、光学台１５９をホームポジションに位置決めするためのポジションセンサ３１５、ＡＤＦ原稿読取モードにおける正規の原稿読取位置を設定するためのバックアップＲＡＭ３０３、およびスキャナコントローラ３０４を有している。
【００２１】
ポジションセンサ３１５は、第一光学台１５９のホームポジション位置を検知するためのセンサであり、ポジションセンサ３１５の位置を基準としてモータ３１４を正転、逆転することにより、光学台１５９、１５１を移動し、原稿台ガラス３上の原稿を光学的に走査する。
【００２２】
また、モータ３１４は、ステッピングモータにより構成されている。このモータ３１４にはエンコーダ３０２が接続されており、このエンコーダ３０２の出力により、光学台１５９、１５１が何パルス分移動したかを認識できるようになっている。すなわち、ポジションセンサ３１５とエンコーダ３０２からのエンコーダーパルスにより、光学台１５９、１５１の位置を把握することが可能である。
【００２３】
〔記録部の説明〕
記録部３００は周知の静電潜像画像形成を用いた画像形成手段であるため、簡略に説明する。
【００２４】
図２に示すように、上段カセット１００に積載収納されたシートは、分離爪と給送ローラ１０１の作用によって一枚ずつ分離給送されてレジストローラ１０６に導かれる。下段カセット１０２も同様に、分離爪と給送ローラ１０３を備えている。手差しガイド１０４からは、シートが１枚ずつローラ１０５を介してレジストローラ１０６に導かれる。デッキタイプのシート積載装置１０８は、モータ等により昇降する中板１０８ａを備え、中板１０８ａ上のシートは、給送ローラ１０９と分離爪の作用により１枚ずつ分離給送されて搬送ローラ１１０に導かれる。
【００２５】
感光体ドラム１１２の周囲には、現像器１１４、転写帯電器１１５、分離帯電器１１６が配置されており、画像形成部を構成している。レジストローラ１０６によって搬送されたシートは感光体ドラム１１２上に現像されたトナー像を転写された後に、搬送ベルト１１７によって定着装置１１８に搬送されて画像を定着され、搬送ローラ１１９によってダイバータ１２０に搬送される。
【００２６】
シートを排出する場合には、ダイバータ１２０を介して排出ローラ１２１に導かれ、ソータ１２２内に搬送される。ソータ１２２は、ノンソートトレイ１２２ａ、ソートビントレイ１２２ｂ、ノンソートトレイ排出ローラ１２２ｃ、ソートビントレイ排出ローラ１２２ｄを有し、ノンソートトレイ１２２ａとソートビントレイ１２２ｂが昇降してシートを一段づつ区分けする。尚、ソータに代わって、排出トレイを装着する場合もある。
【００２７】
さらに両面複写、多重複写を行う場合には、定着後のシートはダイバータ１２０により分岐されて搬送ローラ２０１により搬送され、両面複写の場合ベルト２０２、２０４、パス２０６、排出ローラ２０５を経て中間トレイ２００に排出される。多重複写の場合には、シートはダイバータ２０３により中間トレイ２００に排出される。中間トレイ２００にははシートを給送する半月ローラ２０９、２１０、分離ローラ対２１１、シートをレジストローラ１０６へ搬送する搬送ローラ２１３、２１４、２１５を備えている。
【００２８】
〔自動原稿給送装置の説明〕
自動原稿給送装置２は、読取部１５０の上方に配置され、ヒンジ機構９５、９６により、読取部１５０のプラテンガラス１６１、原稿台ガラス３に対して開閉可能に設けられている（図２参照）。以下、自動原稿給送装置２の詳細を図に基づいて説明する。
【００２９】
図１において、原稿トレイ４は、シート状の原稿Ｐを積載するためのものである。原稿トレイ４には一対の幅方向規制板４９が原稿の幅方向にスライド自在に配置されている。幅方向規制板４９によって原稿トレイ４に積載される原稿Ｐの幅方向を規制することで給送時の搬送安定性を確保できる。
【００３０】
原稿トレイ４の上方には、給送ローラ５が設けられている。給送ローラ５は分離ローラ８の回転駆動に連れて回転し、原稿Ｐを給送する。給送ローラ５は通常、ホームポジションである上方（図中実線位置）に待避している位置をとり、原稿セット作業を阻害しないようにしている。給送動作が開始されると図中点線位置に下降して原稿Ｐの上面に当接する。給送ローラ５は図示しないアームにて軸支されるので、アームを揺動して給送ローラ５を上下に動かせる。分離パッド６は分離ローラ８の対向側に配置され、分離ローラ８側に圧を加えている。分離パッド６は分離ローラ８より摩擦が若干小さいゴム材料などで形成され、給送ローラ５にて給送される原稿Ｐを一枚毎にさばき、分離ローラ８で給送する。
【００３１】
レジストローラ１１、１２、レジスト従動ローラ１１は分離部にて給送された原稿の先端をそろえるレジスト手段であり、静止したレジストローラ１１、１２のニップ部に向けて分離した原稿先端を突き当て、原稿にループを生じさせて先端をそろえている。
【００３２】
次に搬送手段としてのリードローラ２２、リード従動ローラ１４によりプラテンガラス１６１に向けて搬送する。プラテンガラス１６１に搬送された原稿は、ジャンプ台１６２によりすくい上げられ、リード排出ローラ２３、リード排出従動ローラ１６により搬送される。
【００３３】
画像読み取りが終了すると、排出ローラ１８により原稿を排出トレイ１０に排出する。両面読取モード時には、排出ローラ１８にて排出せずスイッチバックして、上方の紙パスに案内してレジストローラ１１、１２に向けて搬送する。レジストローラ１１、１２に到達すると上記と同様に原稿の裏面の読み取りが行われる。
【００３４】
〔駆動系の説明〕
図４を用いて、各ローラなどを駆動するための駆動系の説明をする。分離モータ５０はステッピングモータであり、正逆転により原稿の分離、搬送を行う。分離モータ５０が給送方向に回転したときには、給送ローラ５がホームポジションである上方（図中破線位置）から降下し、原稿トレイ４上の原稿の最上紙に圧接させると共に、給送ローラ５と分離ローラ８を駆動する。分離モータ５０が給送方向とは逆転方向である搬送方向に回転したときには、給送ローラ５をホーム位置である上方（図中破線位置）に持上げ保持すると共に、レジストローラ１２を駆動する。
【００３５】
リードモータ５１はリードローラ２２、プラテンローラ２４、リード排出ローラ２３、排出ローラ１８を駆動するステッピングモータである。搬送される原稿の画像を読み取る速度で各ローラを駆動する。離間ソレノイド５７は両面原稿スイッチバック時に、排出ローラ１８の従動コロを圧着、離間させる。
【００３６】
〔センサの説明〕
図４を用いて、各センサの説明をする。原稿トレイ４には原稿Ｐがセットされたことを検出する透過型の光センサであるセットセンサ４０が設けられている。また、サイドガイドの位置を検出する事により原稿トレイ４上にセットされた原稿Ｐの幅方向の長さを検知するトレイ幅センサ４４が原稿トレイ４の下部に設けられている。
【００３７】
分離ローラ８とレジストローラ１２の間には原稿を検知する透過型の光センサであるレジセンサ７が設けられ、分離給送された原稿の先端を検知し、レジストローラ１２への突き当て量（ループ量）を制御するタイミングなどを検知している。リードローラ２２の直後に原稿を検知する反射型光センサであるリードセンサ１３が設けられ、基本読取位置１６０での画像読み取り開始タイミングの基準信号としている。排出ローラ１８の直前には原稿を検知する透過型光センサである排出センサ１７が設けられ、原稿の排出タイミングなどを検知している。
【００３８】
給送時には、セットセンサ４０によって原稿トレイ４上にある原稿Ｐが検知されると、給送ローラ５が降下して原稿束上に当接する。複写機の操作部で複写条件が入力されスタートキーが押されると、原稿トレイ４上のトレイ幅センサ４４によって原稿サイズの検出が行われる。さらに、離間ソレノイド５７の保持が解除され原稿は給送ローラ５の給送力を受けて下流部へ進出する。
【００３９】
次に原稿トレイ４から進出してきた原稿Ｐを一枚毎に分離して下流部に搬送する。分離部を通過した原稿Ｐはレジストローラ１２で先端を揃えてレジストローラ１２にて搬送する。先端がリードローラ２２に到達してプラテンガラス１６１に向けて搬送され、プラテンローラ２４及びリード排出ローラ２３にて搬送しながら、基本読取位置１６０で画像読みが行われる。
【００４０】
画像読み込みが終了すると、排出ローラ１８で排出トレイ１０に積載される。両面読取モード時には、排出ローラ１８にて排出せずスイッチバックして、上方の紙パスに案内してレジストローラ１１、１２に向けて搬送する。レジストローラ１１、１２に到達すると上記と同様に原稿の裏面の読み取りが行われる。
【００４１】
〔制御回路のブロック説明〕
図５は、本実施例ＡＤＦの制御装置の回路構成を示すブロック図であり、制御回路はマイクロプロセッサ（ＣＰＵ５４）を中心に構成されており、ＣＰＵ５４の入出力ポートには、各種負荷のドライブ回路およびセンサ信号が接続される。また、制御回路は不図示の電池によりバックアップされるＲＡＭと、制御シーケンスソフトの格納されたＲＯＭ、および複写機本体とのデータ通信を制御するための通信用ＩＣ５５である。
【００４２】
分離モータ５０とリードモータ５１は各ステッピングモータドライバによって駆動される。各ドライバには、ＣＰＵ５４から相励磁信号と、モータ電流制御信号が入力されている。離間ソレノイド５７はドライバによって駆動され、ＣＰＵ５４の入出力ポートに接続された信号によって、その動作を制御されるものである。レジセンサ７、セットセンサ４０、リードセンサ１３、排出センサ１７、トレイ幅センサ４４等の各種センサは、ＣＰＵ５４の入力ポートに接続されて、装置内における、原稿の挙動、および可動負荷の挙動をモニターするために用いられる。
【００４３】
〔読取部の説明〕
次に、図６および図７を用いて、読取部１５０の基本読取位置１６０近傍の構成と動作について説明する。図６に示すプラテンガラス１６１は、ガラス表面にＥＣコート（透明導電コート）を施している。ここで図７に示すように、プラテンガラス１６１の上流側端辺には、表面から裏面にかけて導電性両面テープのアルミシート２６が貼られている。さらにアルミシート２６の表面には樹脂シート２７を張り付けており、アルミシート２６を保護している。
【００４４】
プラテンガラス１６１の第一光学台１５９と反対側には、プラテンガラス１６１との間に微少な隙間を形成するシートガイド部材としての白色のプラテンローラ２４を設けている。プラテンローラ２４は、リードモータ５１の駆動により搬送方向に回転する（図５参照）。プラテンローラ２４とプラテンガラス１６１との隙間は、不図示のガラス突き当て手段により０．１５ｍｍに保証されている。
【００４５】
図７に示すように、プラテンローラ２４の搬送方向上流側には、シート規制コロ２５が配置されている。シート規制コロ２５とプラテンガラス１６１との隙間は０．８ｍｍに保証されており、搬送されるシートに接触して従動する。
【００４６】
またシート規制コロ２５の搬送方向下流側、かつプラテンローラ２４の搬送方向上流側には、ポリエステルフィルムからなる白色ガイド部材としての白色フィルム２８が配置されている。白色フィルム２８はプラテンローラ２４とシート規制コロ２５を備え、リードローラ２２（図６参照）を支点に揺動自在に設けられたガイド部材（不図示）に取り付けられ、プラテンローラ２４近傍の白色度を安定させる。
【００４７】
原稿Ｐの画像を読みとられる際には、原稿Ｐは、プラテンローラ２４と、プラテンガラス１６１と、シート規制コロ２５と、ジャンプ台１６２とに規制されながらプラテンガラス１６１上を一定の速度で搬送される。その際、図７に示すように、プラテンローラ２４の直下近傍で原稿Ｐがプラテンガラス１６１と接触する位置Ａと、白色フィルム２８の下方で原稿Ｐがプラテンガラス１６１と接触しない位置Ｂがある。
【００４８】
このとき読取手段としての第一光学台１５９は、モータ３１９により移動可能に設けられていることから、スキャナコントローラ３０４により、位置Ａに対向する基本読取位置１６０と、位置Ｂに対向する退避読取位置１６３とを適宜に選択し、読み取り動作を行うことができる。
【００４９】
このとき、基本読取位置１６０上には白色のプラテンローラ２４が、退避読取位置１６３には白色フィルム２８があるため、プラテンローラ２４の領域外である退避読取位置１６３まで第一光学台１５９が移動しても、基本読取位置１６０と同画質の画像を読み取ることができる。
【００５０】
従って、通常は原稿Ｐがプラテンガラス１６１に接触する基本読取位置１６０において読みとりを行い、原稿搬送で発生したトナー粉、紙粉、ゴムカス等の浮遊ゴミが飛散してプラテンガラス１６１上に滞留してスジ画像になるのを防止する。さらに原稿Ｐ上に付着しているインクや修正液、糊等の付着ゴミがプラテンガラス１６１と摺擦して基本読取位置１６０上に付着した場合には、読取位置を退避読取位置１６３へと切り替えて、付着ゴミがスジ画像として読み取られてしまうことを防止することができる。
【００５１】
なお、基本読取位置１６０と退避読取位置１６３とを比較すると、いずれも同程度の画質で読取を行うことはできるものの、基本読取位置１６０の方が第一光学台１５９からの距離が一定であるためピントがあわせやすく、また搬送の衝撃による影響を受けにくいため有利である。一方、スジ画像の発生頻度はそう多くないため、基本読取位置１６０でスジ画像が発生した場合であっても、退避読取位置ではスジ画像が発生しない場合が多い。そこで、通常は基本読取位置１６０において画像読取を行い、そこでスジ画像が発生した場合には退避読取位置１６３において画像読取を行うよう切替を行うことが望ましい。
【００５２】
読取位置の切替は、使用者の意志による設定により、または総読取枚数や経過時間などによって自動的におこなうことができる。また画像認識処理を行い、スジ画像が認識された場合には切替を行うことでもよい。また、浮遊ゴミが発生しやすい鉛筆書き原稿や定着性に劣る原稿を多用する使用者には第一光学台１５９を基本読取位置１６０に固定し、付着ゴミが発生しやすい修正液や糊が付着した原稿を多用する使用者には退避読取位置１６３に固定することで、使用者の使用条件に合わせた最適な読取位置を設定することができる。
【００５３】
［第二実施形態］
本発明に係る画像読取装置の第二実施形態について説明する。図８は本実施形態に係る画像読取装置の要部構成図であって、上記第一実施形態と説明の重複する部分については同一の符号を付して説明を省略する。
【００５４】
本実施形態において画像読取装置はプラテンローラ２４、シート規制コロ２５、白色フィルム２８を備えておらず、かわりにシートガイド部材として白色のプラテンガイド２９を備えている。プラテンガイド２９とプラテンガラス１６１との隙間は、不図示のガラス突き当て手段によって１ｍｍに保証されている。
【００５５】
原稿Ｐは、プラテンガイド２９と、プラテンガラス１６１と、ジャンプ台１６２とに規制されながら、プラテンガラス１６１上を一定の速度で搬送される。その際にプラテンガイド２９の直下近傍で原稿Ｐがプラテンガラス１６１と接触する位置Ａ’と、その上流側に、同様にプラテンガイド２９の直下であって原稿Ｐがプラテンガラス１６１と接触しない位置Ｂ’がある。
【００５６】
このとき読取手段としての第一光学台１５９は、モータ３１９により移動可能に設けられていることから、スキャナコントローラ３０４により、位置Ａ’に対向する基本読取位置１６０と、位置Ｂ’に対向する退避読取位置１６３とを適宜に選択し、読み取り動作を行うことができる。還元すれば、プラテンガイド２９は、両方の位置Ａ’、Ｂ’のいずれにおいても読み取り可能な幅に形成している。
【００５７】
このように、プラテンローラ２４と白色フィルム２８の代わりに、白色のプラテンガイド２９を用いても同様の効果を得ることができ、また装置構成の簡略化、生産コストの低減化を図ることができる。
【００５８】
［第三実施形態］
次に、本発明に係る画像読取装置の第三実施形態について説明する。図９は本実施形態に係る画像読取装置の構成と動作を説明する図であって、上記各実施形態と説明の重複する部分については同一の符号を付して説明を省略する。
【００５９】
図９（ａ）に示すように、上記第一実施形態においてはプラテンローラ２４の上流側にのみ白色ガイド部材としての白色フィルム２８を設けて説明したが、本実施形態は、プラテンローラ２４の下流側にも白色ガイド部材を設けたものである。
【００６０】
プラテンローラ２４の搬送方向上流側にはシート規制コロ２５が配置されており、シート規制コロ２５の搬送方向下流側、かつプラテンローラ２４の搬送方向上流側には白色ガイド部材としての白色フィルム２８が配置されている。また同様に、プラテンローラ２４の搬送方向下流側にはシート規制コロ３０が配置されており、シート規制コロ３０の搬送方向上流側、かつプラテンローラ２４の搬送方向下流側には白色ガイド部材としての白色フィルム３１が配置されている。これらプラテンローラ２４、シート規制コロ２５、３０、白色フィルム２８、３１は、リードローラ２２（図６参照）を支点に揺動自在に設けられたガイド部材（不図示）に取り付けられ、プラテンローラ２４近傍の白色度を安定させる。
【００６１】
原稿Ｐの画像が読みとられる際には、原稿Ｐは、プラテンローラ２４、プラテンガラス１６１、シート規制コロ２５、３０、ジャンプ台１６２によって規制されながらプラテンガラス１６１上を一定の速度で搬送される。その際、プラテンローラ２４の直下近傍で原稿Ｐがプラテンガラス１６１と接触する位置Ａと、白色フィルム２８、３１の下方で原稿Ｐがプラテンガラス１６１と接触しない位置Ｂ、Ｃがある。
【００６２】
このとき第一光学台１５９は、モータ３１９により移動可能に設けられていることから、スキャナコントローラ３０４により、位置Ａに対向する基本読取位置１６０と、位置Ｂに対向する退避読取位置１６３、位置Ｃに対向する退避読取位置１６４を適宜に選択し、読み取り動作を行うことができる。
【００６３】
上記の如く白色フィルム２８、３１を配置したことにより、プラテンローラ２４の領域外である退避読取位置１６３、１６４まで第一光学台１５９が移動しても、基本読取位置１６０と同画質の画像を読み取ることができる。従って、さらに読取位置を切り替えの自由度が増加し、付着ゴミがスジ画像として読みとられてしまうことを防止することができる。
【００６４】
なお、図９（ｂ）に示すように、シート規制コロ３０はあっても白色フィルム３１がない場合には、上記第一実施形態と同様に、基本読取位置１６０、退避読取位置１６３で切り替えて読み取り動作を行う。
【００６５】
また図９（ｃ）に示すように、白色フィルム２８がない構成の場合には、基本読取位置１６０、退避読取位置１６４で切り替えて読み取り動作を行う。
【００６６】
また図９（ｄ）に示すように、シート規制コロ２５および白色フィルム２８がなく、シート規制コロ３０および白色フィルム３１がある構成においては、基本読取位置１６０および退避読取位置１６４で切り替えて読み取り動作を行う。
【００６７】
上記の如く、プラテンローラ２４の搬送方向下流側にも白色ガイド部材を配置したことにより、さらに読取位置の選択の幅を増やすことができ、スジ画像の発生を回避することができる。
【００６８】
［実施態様］
以下に、本発明に係る画像読取装置の実施態様について説明する。
【００６９】
［実施態様１］
シートを読取位置へ搬送する搬送手段と、
読取位置において搬送されるシートをガイドするプラテンガラスと、
読取位置を搬送されるシート上の画像を前記プラテンガラスを介して読み取る読取手段と、
前記プラテンガラスの前記読取手段と反対側に設けられ、該プラテンガラスとの間に微少な隙間を形成するシートガイド部材と、
前記読取手段を移動させる駆動手段とを有する画像読取装置において、
前記駆動手段は、前記読取手段を、
読取位置へと搬送されたシートがプラテンガラスと接触している位置で読取動作を行う基本読取位置と、
読取位置へと搬送されたシートがプラテンガラスと接触していない位置で読取動作を行う少なくとも１つの退避読取位置と、に移動可能であることを特徴とする画像読取装置。
【００７０】
［実施態様２］
前記シートガイド部材は、プラテンローラであることを特徴とする実施態様１記載の画像読取装置。
【００７１】
［実施態様３］
シートを読取位置へ搬送する搬送手段と、
読取位置において搬送されるシートをガイドするプラテンガラスと、
読取位置を搬送されるシート上の画像を前記プラテンガラスを介して読み取る読取手段と、
前記プラテンガラスの前記読取手段と反対側に設けられ、該プラテンガラスとの間に微少な隙間を形成するプラテンローラと、
前記プラテンガラスの近傍に設けられ、該プラテンガラスと微少な隙間を形成してシートをプラテンガラス側へと規制する少なくとも１つのシート規制コロと、
前記シート規制コロとプラテンローラとの間に、前記プラテンガラスに対向して配置した少なくとも一つの白色ガイド部材と、
前記読取手段を移動させる駆動手段とを有する画像読取装置において、
前記駆動手段は、前記読取手段を、
前記プラテンローラ近傍で読取動作を行う基本読取位置と、
前記白色ガイド部材の近傍で読取位置を行う少なくとも一つの退避読取位置と、に移動可能であることを特徴とする画像読取装置。
【００７２】
［実施態様４］
前記シート規制コロは前記プラテンローラの搬送方向上流側に配置し、
前記白色ガイド部材は、前記シート規制コロの搬送方向下流側、かつ前記プラテンローラの搬送方向上流側に配置し、
前記駆動手段は、前記読取手段を、
前記プラテンローラ近傍で読取動作を行う基本読取位置と、
前記白色ガイド部材近傍で読取動作を行う退避読取位置と、に移動可能であることを特徴とする実施態様３記載の画像得形成装置。
【００７３】
［実施態様５］
前記シート規制コロは前記プラテンローラの搬送方向下流側に配置し、
前記白色ガイド部材は、前記シート規制コロの搬送方向上流側、かつ前記プラテンローラの搬送方向下流側に配置し、
前記駆動手段は、前記読取手段を、
前記プラテンローラ近傍で読取動作を行う基本読取位置と、
前記白色ガイド部材近傍で読取動作を行う退避読取位置と、に移動可能であることを特徴とする実施態様３記載の画像得形成装置。
【００７４】
［実施態様６］
前記搬送手段を含み、複数枚のシートを読取位置に連続的に供給するシート自動搬送装置を備え、
前記シート自動搬送装置は、ヒンジ部を介して画像読取装置本体に対し開閉自在に設けたことを特徴とする実施態様１または３記載の画像読取装置。
【００７５】
【発明の効果】
上記説明した如く、本発明に係る画像読取装置においては、読み取り手段が、シートがプラテンガラスと接触している基本読取位置と、シートがプラテンガラスと接触していない退避読取位置と、を移動して切り替えて読み取り動作を行うよう構成したことにより、通常は基本読取位置で高画質の画像読取を行い、プラテンガラス上にインクや修正液、糊などが付着した場合は退避読取位置で同程度の画質の画像読取を行うことができ、スジ画像の発生を防止することができる。
【図面の簡単な説明】
【図１】画像読取装置の全体構成図である。
【図２】画像形成装置の全体構成図である。
【図３】画像読取装置の構成を説明するブロック図である。
【図４】画像読取装置の駆動系を説明する図である。
【図５】画像読取装置の制御ブロック図である。
【図６】読取部の説明をする部分拡大図である。
【図７】読取部の説明をする部分拡大図である。
【図８】本実施形態に係る画像読取装置の要部構成図である。
【図９】本実施形態に係る画像読取装置の構成と動作を説明する図である。
【図１０】従来の画像読取装置の読取位置近傍の構成を説明する図である。
【図１１】従来の画像読取装置の読取位置近傍の構成を説明する図である。
【符号の説明】
Ａ        …接触する位置
Ｂ、Ｃ        …接触しない位置
Ｐ        …原稿
２        …自動原稿給送装置
３        …原稿台ガラス
４        …原稿トレイ
５        …給送ローラ
６        …分離パッド
７        …レジセンサ
８        …分離ローラ
１０        …排出トレイ
１１、１２        …レジストローラ
１３        …リードセンサ
１４        …リード従動ローラ
１６        …リード排出従動ローラ
１７        …排出センサ
１８        …排出ローラ
２２        …リードローラ
２３        …リード排出ローラ
２４        …プラテンローラ
２５        …シート規制コロ
２６        …アルミシート
２７        …樹脂シート
２８        …白色フィルム
２９        …プラテンガイド
３０        …シート規制コロ
３１        …白色フィルム
４０        …セットセンサ
４４        …トレイ幅センサ
４９        …幅方向規制板
５０        …分離モータ
５１        …リードモータ
５４        …ＣＰＵ
５５        …通信用ＩＣ
５７        …離間ソレノイド
９５、９６        …ヒンジ機構
１００      …上段カセット
１０１      …給送ローラ
１０２      …下段カセット
１０３      …給送ローラ
１０４      …手差しガイド
１０５      …ローラ
１０６      …レジストローラ
１０８      …シート積載装置
１０８ａ  …中板
１０９      …給送ローラ
１１０      …搬送ローラ
１１２      …感光体ドラム
１１４      …現像器
１１５      …転写帯電器
１１６      …分離帯電器
１１７      …搬送ベルト
１１８      …定着装置
１１９      …搬送ローラ
１２０      …ダイバータ
１２１      …排出ローラ
１２２      …ソータ
１２２ａ  …ノンソートトレイ
１２２ｂ  …ソートビントレイ
１２２ｃ  …ノンソートトレイ排出ローラ
１２２ｄ  …ソートビントレイ排出ローラ
１５０      …読取部
１５１      …第二光学台
１５２      …ランプ
１５３、１５５、１５６      …ミラー
１５４      …ワイヤ
１５７      …レンズ
１５８      …ＣＣＤ
１５９      …第一光学台
１６０      …基本読取位置
１６１      …プラテンガラス
１６２      …ジャンプ台
１６３、１６４      …退避読取位置
２００      …中間トレイ
２０１      …搬送ローラ
２０２      …ベルト
２０３      …ダイバータ
２０４      …ベルト
２０５      …排出ローラ
２０６      …パス
２０９、２１０      …半月ローラ
２１１      …分離ローラ対
２１３、２１４、２１５      …搬送ローラ
３００      …記録部
３０１      …Ａ／Ｄ変換回路
３０２      …エンコーダ
３０３      …ＲＡＭ
３０４      …スキャナコントローラ
３１４      …モータ
３１５      …ポジションセンサ
３１９      …モータ
４０１      …読取手段
４０２、４０３      …搬送ローラ対
４０４      …プラテンガラス
４０５      …ガイド部材
４０６      …プラテンローラ
【図１】
2004260294.tif 000003
【図２】
2004260294.tif 000004
【図３】
2004260294.tif 000005
【図４】
2004260294.tif 000006
【図５】
2004260294.tif 000007
【図６】
2004260294.tif 000008
【図７】
2004260294.tif 000009
【図８】
2004260294.tif 000010
【図９】
2004260294.tif 000011
【図１０】
2004260294.tif 000012
【図１１】
2004260294.tif 000013